(57)【特許請求の範囲】
【請求項１】
ハブノードとクライアントノードとが接続された光ＷＤＭネットワークにおけるハブノードであって、
該光ＷＤＭネットワークは、
複数の波長チャネルを、お互いに逆の方向に光を伝搬する連続して該ネットワーク全体を一周する２本の光ファイバ経路を有し、該ハブノードと該クライアントノードとは光を挿入又は分岐するために該２本の光ファイバ経路に接続され、
該ハブノードは該複数の波長チャネルのすべてで情報の送受信を行うことができ、各波長チャネルにつき２つの挿入／分岐モジュールを有している、光ＷＤＭネットワークであり、
各挿入／分岐モジュールが、該２本の光ファイバ経路のうち第１のものに光を挿入するための挿入装置及び該２本の光ファイバ経路のうち第１のものとは別の第２のものから光を一部分岐させるための分岐装置を有し、各挿入／分岐モジュールが同一の構造を有し、
前記挿入／分岐モジュールが２つの群に分割され、２つの群のうち第１のものに属する挿入／分岐モジュールが、挿入装置が２本の光ファイバ経路のうち第１のものに接続され、分岐装置が２本の光ファイバ経路のうち第２のものに接続される構造を有し、２つの群のうち第２のものに属する挿入／分岐モジュールが、挿入装置が２本の光ファイバ経路のうち第２のものに接続され、分岐装置が２本の光ファイバ経路のうち第１のものに接続される構造を有し、
前記２つの群のそれぞれにおいて挿入／分岐モジュールが隣接して配置され、隣接する２つの挿入／分岐モジュールでは隣接する２つの挿入／分岐モジュールの第１のものの挿入装置の出力が隣接する２つの挿入／分岐モジュールの第２のものの挿入装置の入力に接続され、隣接する２つの挿入／分岐モジュールの第１のものの分岐装置の出力が隣接する２つの挿入／分岐モジュールの第２のものの分岐装置の入力に接続されることを特徴とするハブノード。
【請求項２】
前記２つの群のそれぞれにおいて挿入／分岐モジュールが隣接して配置し、各群に内側の挿入／分岐モジュール及び２つの端部の挿入／分岐モジュールを形成し、端部の挿入／分岐モジュールが群の挿入／分岐モジュールを片側のみに有し、２つの群のうち第１のものの２つの端部の挿入／分岐モジュールのうち片方においてその分岐装置が２つの群のうち第２のものの２つの端部の挿入／分岐モジュールのうち片方の入力に接続された出力を有し、２つの群のうち第２のものの２つの端部の挿入／分岐モジュールのうちの該片方においてその分岐装置が２つの群のうち第１のものの２つの端部の挿入／分岐モジュールのうち片方の入力に接続された出力を有することを特徴とする請求項１に記載のハブノード。
【請求項３】
各挿入／分岐モジュールが、挿入／分岐モジュールの挿入装置及び分岐装置を収容するためのハウジング、前記２本の光ファイバ経路のうち第１のものへ接続するための、ハウジングに取付けられた第１の固定コネクタと、ハウジングから自由に延び、その自由端に、隣接する挿入／分岐モジュールの固定コネクタに結合させるための第１の自由コネクタを有する、第１の経路を当該挿入／分岐モジュールを介して隣接モジュールに繋ぐための第１の光ファイバ、及び前記２本の光ファイバ経路のうち第２のものへ接続するための、ハウジングに取付けられた第２の固定コネクタと、ハウジングから自由に延び、その自由端に、隣接する挿入／分岐モジュールの第２の固定コネクタに結合させるための第２の自由コネクタを有する、第２の経路を当該挿入／分岐モジュールを介して隣接モジュールから繋ぐための第２の光ファイバを有することを特徴とする請求項１または２に記載のハブノード。
【請求項４】
ハウジングが、挿入／分岐モジュールの接続装置やコネクタを繋ぐための余分のファイバを巻付けるための巻付コアを２つ有することを特徴とする請求項３に記載のハブノード。
【請求項５】
各波長チャネルに１つの光クライアント部を有し、該光クライアント部は前記２つの群の双方の挿入装置に接続される送信機と、前記２つの群の各々の分岐装置に接続される２つの受信器をさらに有する、請求項１ないし４のいずれか一項に記載のハブノード。
【請求項６】
前記光クライアント部は、前記２つの受信器からの光信号を合成し、該合成した光信号をクライアントに送信するための送信器に供給するように構成された合成手段をさらに有する、請求項５に記載のハブノード。
【請求項７】
ハブノードとクライアントノードとが接続された光ＷＤＭネットワークであって、
該光ＷＤＭネットワークは、
複数の波長チャネルを、お互いに逆の方向に光を伝搬する連続して該ネットワーク全体を一周する２本の光ファイバ経路を有し、該ハブノードと該クライアントノードとは光を挿入又は分岐するために該２本の光ファイバ経路に接続され、
該ハブノードは該複数の波長チャネルのすべてで情報の送受信を行うことができ、該クライアントノードは、該複数の波長チャネルのうち１つまたは複数の波長チャネルにおける情報の送受信を行うことができ、
該ハブノード及び該クライアントノードが各波長チャネルにつき２つの挿入／分岐モジュールを有しており、
該ハブノード及び該クライアントノードにおける各挿入／分岐モジュールが、該２本の光ファイバ経路のうち第１のものに光を挿入するための挿入装置及び該２本の光ファイバ経路のうち第１のものとは別の第２のものから光を一部分岐させるための分岐装置を有し、該ハブノードにおける各挿入／分岐モジュールが同一の構造を有し、
前記ハブノード及びクライアントノードにおける挿入／分岐モジュールが２つの群に分割され、２つの群のうち第１のものに属する挿入／分岐モジュールが、挿入装置が２本の光ファイバ経路のうち第１のものに接続され、分岐装置が２本の光ファイバ経路のうち第２のものに接続される構造を有し、２つの群のうち第２のものに属する挿入／分岐モジュールが、挿入装置が２本の光ファイバ経路のうち第２のものに接続され、分岐装置が２本の光ファイバ経路のうち第１のものに接続される構造を有し、
前記ハブノードにおいて、前記２つの群のそれぞれにおいて挿入／分岐モジュールが隣接して配置され、隣接する２つの挿入／分岐モジュールでは隣接する２つの挿入／分岐モジュールの第１のものの挿入装置の出力が隣接する２つの挿入／分岐モジュールの第２のものの挿入装置の入力に接続され、隣接する２つの挿入／分岐モジュールの第１のものの分岐装置の出力が隣接する２つの挿入／分岐モジュールの第２のものの分岐装置の入力に接続されることを特徴とする光ＷＤＭネットワーク。
【請求項８】
前記ハブノードが、２つの群のそれぞれにおいて挿入／分岐モジュールが隣接して配置し、各群に内側の挿入／分岐モジュール及び２つの端部の挿入／分岐モジュールを形成し、端部の挿入／分岐モジュールが群の挿入／分岐モジュールを片側のみに有し、２つの群のうち第１のものの２つの端部の挿入／分岐モジュールのうち片方においてその分岐装置が２つの群のうち第２のものの２つの端部の挿入／分岐モジュールのうち片方の入力に接続された出力を有し、２つの群のうち第２のものの２つの端部の挿入／分岐モジュールのうちの該片方においてその分岐装置が２つの群のうち第１のものの２つの端部の挿入／分岐モジュールのうち片方の入力に接続された出力を有することを特徴とする、請求項７に記載の光ＷＤＭネットワーク。
【請求項９】
前記ハブノード及びクライアントノードは各波長チャネルに１つの光クライアント部を有し、該光クライアント部は前記２つの群の双方の挿入装置に接続される送信機と、前記２つの群の各々の分岐装置に接続される２つの受信器を有する、請求項７または８記載の光ＷＤＭネットワーク。
【請求項１０】
前記光クライアント部は、前記２つの受信器からの光信号を合成し、該結合した光信号をクライアントに送信するための送信器に供給するように構成された合成手段をさらに有する、請求項９記載の光WDMネットワーク。
【発明の詳細な説明】
【０００１】
【発明の技術分野】
本発明は、光ＷＤＭネットワークにおける挿入／分岐ノード、特に、該ネットワークにおいて互いに逆方向に光を伝搬する２つの経路への挿入／分岐ノードの接続と、そのような挿入／分岐ノードを有するネットワークに関するものである。
【０００２】
【背景技術】
現在、ＷＤＭ（波長分割多重）技術を取り入れた光ネットワーク構造は数多く提案されており、増加傾向にある。この種のネットワークには、複数の挿入／分岐ノードが接続され、各ノードをネットワークに接続するために簡単な装置を設けることが好ましい。例えば、既存のノードで、ある波長帯域を追加して送受信可能とするために拡張作業を行う場合、それに要する手作業をなるべく少なくすることが好ましい。挿入／分岐ノードを有する光ネットワークは、例えば米国特許第５，７５４，５４５号等に開示されている。
【０００３】
【発明の概要】
本発明は、ネットワークを循環するファイバ経路にノードを簡易に接続するための手段を有する、光ＷＤＭネットワーク用の挿入／分岐ノードを提供することを目的とする。
本発明の更なる目的は、ネットワークにおける並行ファイバ経路にノードを簡易に接続することを可能とした構造の挿入／分岐ノードを有する光ＷＤＭネットワークを提供することである。
【０００４】
よって、一般的に、挿入／分岐ノードは光ＷＤＭネットワークに接続するためのものである。ネットワークは、複数の波長チャネルを、互いに逆の方向に光を伝搬する２つの並行のファイバ経路を有する。挿入／分岐ノードは各チャネルにつき、２つの挿入／分岐モジュールを有する。各モジュールは同一の構造を有し、殆どの接続は同様のものであるため、ノードの部品を簡易に搭載、接続することが可能であり、波長チャネルの変更やネットワークで使用される波長チャネルの追加／削除を行うには簡単な再配置で済む。各モジュールは、ある１つの経路に光を挿入するための挿入装置と、別の１つの経路から光を分岐させるための分岐装置とを有する。モジュールの挿入装置と分岐装置はハウジングに収容され、モジュールのハウジングは横並びに一列を成し、例えば棚等に格納される。第１の固定コネクタは、第１の経路に接続するためにモジュールのハウジングと、ハウジングから自由に延び、その自由端に、隣接するモジュールの固定コネクタに結合させるための第１の自由コネクタを有する、第１の経路を当該挿入／分岐モジュールを介して隣接モジュールに繋ぐための光ファイバに接続される。同様に、第２の固定コネクタは、第２の経路に接続するためにモジュールのハウジングと、ハウジングから自由に延び、その自由端に、隣接するモジュールの第２の固定コネクタに結合させるための第２の自由コネクタを有する、第２の経路を当該挿入／分岐モジュールを介して隣接モジュールに繋ぐための第２の光ファイバに接続される。
【０００５】
より具体的に、挿入／分岐ノードには、ネットワークを伝播する光の各チャネルにつき２つの挿入／分岐モジュールが設けてある。各挿入／分岐モジュールは、２つの光ファイバ経路のうち一方に光を挿入するための挿入装置又は光合波器を有し、さらに他方の光ファイバ経路から光の一部を分岐させるための分岐装置を有する。また、挿入／分岐モジュールはすべて同一の構造を有する。挿入／分岐モジュールを２つの群に分割し、第１の群の挿入／分岐モジュールにおいて、その挿入装置を一方のファイバ経路に接続し、その分岐装置を他方のファイバ経路に接続するような構造にすることができる。また、この場合、第２の群の挿入／分岐モジュールは、挿入装置が他方のファイバ経路に接続され、分岐装置が該一方のファイバ経路に接続される。
【０００６】
２つの群のうち少なくとも一方において、挿入／分岐モジュールは互いに隣接して設置され、各群に内側のモジュールと２つの端部モジュールが得られる。１群内の２つの隣接又は近接する挿入／分岐モジュールにおいて、２つの隣接する挿入／分岐モジュールのうち第１のものの挿入装置の出力を、２つの隣接する挿入／分岐モジュールのうち第２のものの挿入装置の入力に接続することができる。同様に、ある２つの隣接する挿入／分岐モジュールにおいて、２つの隣接する挿入／分岐モジュールのうち第１のものの分岐装置の出力を、２つの隣接する挿入／分岐モジュールのうち第２のものの分岐装置の入力に接続することができる。第１の群の端部挿入／分岐モジュールのうち片方において、その分岐装置の出力が、他方の、第２の群の２つの端部挿入／分岐モジュールのうち片方の挿入装置の入力に接続することも可能である。同様に、第２の群の片方の端部挿入／分岐モジュールにおいて、その分岐装置の出力が、第１の群の該片方の挿入装置の入力に接続することができる。
【０００７】
図１は、環状構造の光ファイバＷＤＭネットワークを示すブロック図である。このように、２つの光ファイバ経路１ｅ、１ｗが、原則的に連続してネットワーク全体を一周し、一方のファイバ経路１ｅは東方向の光を伝搬し、他方のファイバ経路１ｗは西方向の光を伝搬する。
【０００８】
ネットワークは、ハブノード２と、図示の形態ではクライアント１、２、３及び４なる４つのクライアントノード３を含み、これらのノードは、光を挿入又は分岐するために２つの基本ファイバ経路１ｅ、１ｗに接続されている。クライアントノードｎは、チャネルとも呼ばれる、特定の波長λn、ｎ＝１，２，．．．を包含する狭い波長帯域上で情報を送受信する。ハブノード２は、すべてのチャネル、即ちすべての波長λn、ｎ＝１，２，．．．で情報の送受信を行うことができる。ハブノード２は、各クライアントノード３に対して電気クライアント部５に接続される。この電気クライアント部５は、電気信号を光信号に変換する電気−光変換装置又は光送信機７と、光信号を受信し、電気信号に変換する光−電気変換装置又は光受信機９とを有する。電気クライアント部５は、光ファイバを介してハブノード２の光クライアント部１１に接続されている。光クライアント部１１は、対応する電気クライアント部から延びる光ファイバを受けるための光コネクタを有する。
【０００９】
光クライアント部１１は、送信用の光送信機−受信機１３、１５を有し、受信機１３が電気クライアント部５の送信機７から光信号を受信し、出力信号を送信機１５に供給することで、対応するクライアントが使用する狭い波長帯域において明確な光信号が得られる。光送信機１５は、以下に説明するとおり、その出力信号を光ファイバを介して挿入／分岐モジュールに供給するため、光コネクタに連結されている。
【００１０】
光クライアント部１１は、更に受信用の光送信機−受信機を有し、これは光ファイバ及び光コネクタを介して挿入／分岐モジュールから光を受信するために接続された２つの光受信機１７ｅ、１７ｗからなり、このうち一方の受信機１７ｅは該当するファイバから東方向にネットワーク内を伝播する光を受信するためのものであり、他方の受信機１７ｗは環状ネットワークにおいて西方向に伝播する光を受信するためのものである。２つの光受信機１７ｅ、１７ｗの出力は、受信した信号を合成し、送信機２１に供給する合波素子又は光多重器１９の入力に接続され、送信機２１の出力端子は対応するコネクタとファイバを介して電気クライアント部５における受信機９に接続される。
【００１１】
更に、ハブノード２は挿入／分岐モジュール２３ｌ、２３ｒを複数含み、ネットワークにおける各クライアントノード３に対してこのような挿入／分岐モジュールが１対設けてある。この対のうち一方のモジュール２３ｌはハブノードから左方向に送信し、同じ左方向から受信するような構造とされている。他方のモジュール２３ｒはハブノードの右方向に対して送受信するような構造とされている。各挿入／分岐モジュールは、ネットワークの２つの環状ファイバ経路１ｅ、１ｗに接続されている。左側の挿入／分岐モジュール２３ｌは、一方のファイバ環経路１ｗに接続された挿入装置２５ｌと他方のファイバ環経路１ｅに接続された分岐装置２７ｌからなる。挿入装置２５ｌは、ファイバ片、５０／５０分岐結合器２９（図示は１つのみ）及び対応するコネクタにより、該当するクライアントノードの光クライアント部１１の送信機１５に接続される。分岐装置２７ｌは、ファイバ及び対応コネクタにより、同じクライアントノードの光クライアント部１１の受信機１７ｅに接続される。
【００１２】
同様に、右側の挿入／分岐モジュール２３ｒは、一方のファイバ環経路１ｅに接続された挿入装置２５ｒと他方のファイバ環経路１ｗに接続された分岐装置２７ｒからなる。挿入装置２５ｒは、ファイバ片、対応する分岐結合器２９及び対応するコネクタにより、クライアントノードの光クライアント部１１の送信機１５に接続される。分岐装置２７ｒは、ファイバ及び対応コネクタにより、クライアントノードの光クライアント部１１の受信機１７ｗに接続される。
【００１３】
挿入装置２５ｌ、２５ｒは、何等かの結合又は合成装置と、必要であれば挿入／分岐モジュールに指定された波長帯域又はチャネルの光を遮断するノッチフィルタとを有する。この任意のフィルタによって、各ファイバ環経路１ｗ、１ｅを伝播する光の内、該当する波長帯域が遮断されてから、その波長帯域の光が合成装置によって合成される。分岐装置２７ｌ、２７ｒは、同様に、挿入／分岐モジュールの指定帯域又はチャネルの光を分岐させる分岐又はフィルタ装置を有する。
【００１４】
各挿入／分岐ノード２３ｌ、２３ｒは、基本的な構造や機能が同一であるため、以下に説明するとおり、物理的な形状も同一であっても良い。
２本のファイバ環経路１ｅ、１ｗは、ハブノード２の、左側と右側に接続されている。何れ側にも両方の環状経路に接続された管理モジュール３１ｌ、３１ｒを設けることができる。管理モジュール３１ｌ、３１ｒは、制御信号等を挿入する挿入カプラ３３ｌ、３３ｒと、到来した光力の、例えば１％等の少量を引くためのタップ３５ｌ、３５ｒとを有する。
【００１５】
図２は、挿入／分岐モジュール２３ｌ、２３ｒの機能を示す概略図である。モジュールは、符号４１で示すハウジングを有する。ネットワークの２本の環状経路のうち片方１ｅから、ハウジング４１の外部へ緩く延びるファイバ片４５に結合されたコネクタ４３を通して、光がモジュールに導かれる。ファイバ片４５は、厚めの保護スリーブを有し、ハウジング４７内部において標準の薄い保護スリーブを有する光ファイバ４９の先端に溶接される。光ファイバ片４９は、その反対側の端部で挿入装置２５ｌ、２５ｒの２つの入力の内片方に接続される。挿入装置の出力は、ファイバ片５１に接続され、ファイバ片５１はハウジング４１に装着されたコネクタ５３に接続される。コネクタ５３は、入力コネクタ４３と同一の環状経路１ｅに接続することが望ましい。挿入装置の他方の入力は、ファイバ片５５を介して、ハウジング４１に装着されたコネクタ５７に接続される。このようにして、コネクタ４３は環状経路１ｅから光を受け、それをファイバ４５、継目４７、ファイバ片４９、挿入装置２５ｌ、２５ｒ、ファイバ片５１を介してコネクタ５３に通す。出力コネクタ５３は、光を再び環状経路１ｅに流す。光クライアント部１１からの光はコネクタ５７からモジュールに入り、ファイバ５５を介して挿入装置２５ｌ、２５ｒに導かれ、そこで環状経路１ｅを伝播する光に追加される。
【００１６】
更に、モジュール２３ｌ、２３ｒには、上述のものに対して並行であり、他方の環状経路１ｗに接続される一連のファイバ片があるが、挿入装置２５ｒ、２５ｌではなく分岐装置２７ｌ、２７ｒが接続されている。よって、コネクタ６３は他方の環状経路に接続され、一部がハウジング４１から外部に延びる保護ファイバ片６５の一端に結合され、その他端は継目６７を通して標準のファイバ片６９に接続される。このファイバ片は更に分岐装置２７ｌ、２７ｒの２つの出力のうち何れか一方に接続される。分岐装置の入力は、ハウジング４１に接続されたコネクタ７３から光を受けるファイバ片７１に接続される。コネクタ７３は該当する環状経路１ｗに接続されることが好ましい。分岐装置２７ｌ、２７ｒの他方の出力は、ファイバ片７５の一端にっ接続され、その他端はハウジング４１に装着されたコネクタ７７に接続される。このコネクタは、ファイバを介して光クライアント部１１における対応受信機１７ｗ（１７ｅ）に接続される。環状経路１ｗの光がコネクタ７３からモジュールに入り、ファイバ７１、分岐装置２７ｌ、２７ｒ、ファイバ６９、継目６７、保護ファイバ６５を介して、ネットワークの対応環状経路１ｗに接続された自由コネクタ６３に到達する。特定の波長帯域の光の一部は分岐装置２７ｌ、２７ｒに引かれ、ファイバ７５を介してコネクタ７７に達し、そこから各クライアント部１１に導かれる。
【００１７】
挿入／分岐モジュールハウジング４１の内部構造を図３に示す。モジュールハウジング４１は、ほぼ平坦な部分と、そこから延びる壁部とを有する。各壁部は高さが等しく、ハウジング４１の上部に装着された図示しない基本的に平坦な蓋に連結される。壁部は、ファイバを巻き付け、曲げ半径が小さ過ぎない（曲率が大き過ぎない）、例えば５０ｍｍ程の直径を有する２つの円形の巻付コアを形成する。２つの巻付コア８１は、その間にファイバを通すべく、ある程度の距離を置いて配置される。このようなコアを２つ設けることで、使用されるファイバ片の長さに余裕を持たせることで扱い易くし、ファイバの破損時や不良接続の場合に装置に再接合できるようにし、更に、ファイバを例えば２つのコア８１に８字状に巻き付けることで、装置に接続する個所におけるファイバの方向を、小さく折り曲げることなく、適切に合せることができる。巻付コアを形成する壁部に、モジュールハウジングを取り扱い易くするための貫通穴８３を設けることも可能である。挿入装置２５ｌ、２５ｒ及び分岐装置２７ｌ、２７ｒは、ハウジング上部の突出壁部８５に装着することができる。
【００１８】
ハウジング４１の下側にはハウジングを棚に取付けるための治具が設けてあり、これらの治具は、後方に切欠８７を、前方に嵌合装置８９を有する。ハウジング４１の前方上側に、モジュールを対応光クライアント部に接続するためのファイバを保持する溝９１が形成されている。
【００１９】
図４は、棚に設置された挿入／分岐モジュール２３ｌ、２３ｒ及び管理モジュール３１ｌ、３１ｒの正面図であるが、ファイバ片４５、６５の自由端はこの図では見えない。図４と図１を比較することで、左側の挿入／分岐モジュール２３ｌの接続が図３のとおりであり、ファイバ片４５が対応モジュールの左側に隣接するモジュールの嵌合コネクタ５３、７３に挿入されることが判る。このような接続を、図６において概略的に示すが、図５も参照されたい。このように、図５には、図１と基本的に同様の接続を示すが、右側モジュール２３ｒにおいて挿入装置と分岐装置が入れ代わっている。よって、図１に示したモジュールの直線構造による接続とは違って、左側のモジュール２３ｌ群と右側のモジュール２３ｒ群との間、そして右側の群と右側の管理モジュール３１ｒとの間の接続は交差結線である。図６には、自由ファイバ片を使用した挿入／分岐モジュールの接続による同構造のモジュール接続を示す。この図によると、各挿入／分岐モジュール２３ｌ、２３ｒを同一構造とし、分岐装置やフィルタのみ、各モジュール特有のチャネルに対応したものにすれば良いことが明らかである。交差結線は、挿入／分岐モジュール群の中央、左側モジュールと右側モジュールとの間に設ける。このような交差結線は、両端に光コネクタを有する自由ファイバ片１０１を交差配線して繋ぐか、或いは特殊の交差結線モジュールを使用して形成することで得られる。このモジュールは、外観は他のモジュールと変わらないが、内部において光ファイバが交差接続されているものである。図４には、複数の挿入／分岐モジュール２３ｌ、２３ｒを示す。しかし、これらの挿入／分岐モジュールのうち一部のみ、上述の構成とし、活動状態とすることができる。活動モジュールに隣接して、同様の外観であるが、コネクタや自由ファイバを有しないダミーモジュールを設けた。ダミーモジュールは、単に活動モジュールと管理モジュールとの間の空間を埋めるために設けたものである。
【００２０】
管理モジュール３１ｌ、３１ｒは、互いに同一の外部コネクタ及び外部装置を有するが、内部の配線構造が異なっている。必要な接続は図１から明らかである。
【００２１】
ネットワークにおけるクライアントノード３は、基本的な構成はハブノード２と同じであるが、単一の波長帯域を送受信するように構築されている。挿入／分岐モジュールとして、例えば上述のようなものを使用することができる。
他の環状ネットワーク構造では、クライアントノードは複数の波長帯域を送受信することができる。このような構造においては、クライアントノードはハブノード２と同じ構造であっても良い。
【図面の簡単な説明】
【図１】  図１は、ハブノード及び４つのクライアントノードを有する環状構造の光ネットワークを示すブロック図である。
【図２】  図２は、ネットワークのノードに使用される挿入／分岐モジュールの配線を示す概略図である。
【図３】  図３は、挿入／分岐モジュールのハウジングの内部を示す側面図である。
【図４】  図４は、棚に設置した複数の挿入／分岐モジュールを示す正面図である。
【図５】  図５は、ノードの挿入／分岐モジュールの配線を概略的に示すブロック図である。
【図６】  図６は、ノードの挿入／分岐モジュールの配線をより現実的に示すブロック図である。
【図７】  図７は、挿入／分岐モジュールのハウジングの内部を示す斜視図である。
【図１】
0004636400.tif 000002
【図２】
0004636400.tif 000003
【図３】
0004636400.tif 000004
【図４】
0004636400.tif 000005
【図５】
0004636400.tif 000006
【図６】
0004636400.tif 000007
【図７】
0004636400.tif 000008